【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
動画像データから複数の静止画像データを抽出し、抽出された前記複数の静止画像データを用いて新たな静止画像データを生成する画像処理を実行可能な画像処理装置であって、
前記画像処理の特徴を示すパラメータを取得する取得手段と、
前記動画像データの特徴を示すパラメータを前記動画像データから抽出する抽出手段と、
前記取得手段により取得された前記画像処理の特徴を示すパラメータと、前記抽出手段により抽出された前記動画像データの特徴を示すパラメータとから、抽出する静止画像データの数を決定する静止画像数決定手段と、
前記静止画像数決定手段により決定された静止画像データの数に基づいて、前記動画像データから複数の静止画像データを抽出する静止画像抽出手段と、
前記静止画像抽出手段により抽出された複数の静止画像データを用いて新たな静止画像データを生成する画像処理手段と、
を有することを特徴とする画像処理装置。
【請求項２】
前記動画像データの特徴を示すパラメータは、インターレースの有無、カラーフォーマットの形式、フレーム間予測の有無を含むことを特徴とする請求項１に記載の画像処理装置。
【請求項３】
前記静止画像抽出手段により抽出された複数の静止画像データをファイルとして保存することが可能な保存手段を、さらに有し、
前記画像処理手段は、前記ファイルとして保存された複数の静止画像データに対して画像処理を実行することを特徴とする請求項１に記載の画像処理装置。
【請求項４】
前記静止画像抽出手段は、前記動画像データから特定の種類の複数の静止画像データを抽出することを特徴とする請求項１乃至３のいずれか１項に記載の画像処理装置。
【請求項５】
前記静止画像抽出手段は、前記動画像データから相隣接する複数の静止画像データを抽出することを特徴とする請求項１乃至４のいずれか１項に記載の画像処理装置。
【請求項６】
前記画像処理の特徴を示すパラメータとは、前記画像処理の結果の品質と、前記動画像データが保持する撮影情報と、前記画像処理手段が処理可能な静止画像データの枚数とのうち少なくとも１つを含むことを特徴とする請求項１乃至５のいずれか１項に記載の画像処理装置。
【請求項７】
動画像データから複数の静止画像データを抽出し、抽出された前記複数の静止画像データを用いて新たな静止画像データを生成する画像処理を実行可能な画像処理装置における画像処理方法であって、
前記画像処理装置の取得手段が、前記画像処理の特徴を示すパラメータを取得する取得工程と、
前記画像処理装置の抽出手段が、前記動画像データの特徴を示すパラメータを前記動画像データから抽出する抽出工程と、
前記画像処理装置の静止画像数決定手段が、前記取得工程において取得された前記画像処理の特徴を示すパラメータと、前記抽出工程において抽出された前記動画像のデータの特徴を示すパラメータとから、抽出する静止画像データの数を決定する静止画像数決定工程と、
前記画像処理装置の静止画像抽出手段が、前記静止画像数決定工程において決定された静止画像データの数に基づいて、前記動画像データから複数の静止画像データを抽出する静止画像抽出工程と、
前記画像処理装置の画像処理手段が、前記静止画像抽出工程において抽出された複数の静止画像データを用いて新たな静止画像データを生成する画像処理工程と、
を有することを特徴とする画像処理方法。
【請求項８】
動画像データから複数の静止画像データを抽出する画像処理装置と、当該抽出された前記複数の静止画像データを入力し、前記複数の静止画像データから新たな静止画像データを生成して印刷する印刷装置とを含む画像処理システムであって、
前記画像処理装置は、
前記動画像データから前記動画像データの特徴を示すパラメータを抽出し、当該抽出されたパラメータを前記静止画像データを印刷処理するためのパラメータとともに前記印刷装置に送信するパラメータ送信手段と、
前記印刷装置が印刷処理可能な前記静止画像データの数を前記印刷装置から受信し、当該受信した数に従って前記動画像データから複数の静止画像データを抽出し、前記複数の静止画像データを１つのファイルとして編集する抽出編集手段と、
前記抽出編集手段により編集された前記１つのファイルを前記印刷装置に送信する送信手段と、を有し、
前記印刷装置は、
前記画像処理装置から前記動画像のデータの特徴を示すパラメータと前記静止画像データを印刷処理するためのパラメータを受信する受信手段と、
前記動画像データの特徴を示すパラメータと、前記静止画像データを印刷処理するためのパラメータとから、前記印刷装置が印刷処理可能な前記静止画像データの数を決定し、当該決定した数を前記画像処理装置に送信する静止画像枚数決定手段と、
前記画像処理装置から受信した前記１つのファイルに含まれる前記複数の静止画像データから新たな静止画像データを生成する画像処理手段と、
前記新たな静止画像データに基づき印刷する印刷手段と、を有する、
ことを特徴とする画像処理システム。
【請求項９】
前記動画像データの特徴を示すパラメータは、インターレースの有無、カラーフォーマットの形式、フレーム間予測の有無を含むことを特徴とする請求項８に記載の画像処理システム。
【請求項１０】
前記動画像データの特徴を示すパラメータは撮影情報を含む、ことを特徴とする請求項９に記載の画像処理システム。
【請求項１１】
前記静止画像データを印刷処理するためのパラメータは、印刷品質と、用紙サイズと、用紙種類と、印刷速度と、用紙の縁の有無印刷とのうち少なくとも１つを含むことを特徴とする請求項８乃至１０のいずれか１項に記載の画像処理システム。
【請求項１２】
前記抽出編集手段は、前記動画像データから相隣接する前記複数の静止画像データを抽出することを特徴とする請求項８乃至１１のいずれか１項に記載の画像処理システム。
【請求項１３】
前記画像処理装置は、当該抽出された前記複数の静止画像データを前記１つのファイルとして保存する保存手段、をさらに有することを特徴とする請求項８乃至１２のいずれか１項に記載の画像処理システム。
【手続補正２】
【補正対象書類名】明細書
【補正対象項目名】０００９
【補正方法】変更
【補正の内容】
【０００９】
上記課題を解決するため、本発明に係る画像処理装置は、動画像データから複数の静止画像データを抽出し、抽出された前記複数の静止画像データを用いて新たな静止画像データを生成する画像処理を実行可能な画像処理装置であって、
前記画像処理の特徴を示すパラメータを取得する取得手段と、
前記動画像データの特徴を示すパラメータを前記動画像データから抽出する抽出手段と、
前記取得手段により取得された前記画像処理の特徴を示すパラメータと、前記抽出手段により抽出された前記動画像データの特徴を示すパラメータとから、抽出する静止画像データの数を決定する静止画像数決定手段と、
前記静止画像数決定手段により決定された静止画像データの数に基づいて、前記動画像データから複数の静止画像データを抽出する静止画像抽出手段と、
前記静止画像抽出手段により抽出された複数の静止画像データを用いて新たな静止画像データを生成する画像処理手段と、を有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】発明の名称
【補正方法】変更
【補正の内容】
【発明の名称】画像処理装置、画像処理方法、及び、画像処理システム
【手続補正６】
【補正対象書類名】明細書
【補正対象項目名】０００８
【補正方法】変更
【補正の内容】
【０００８】
そこで、上記の点に鑑み、本発明は、動画像から適切な容量の静止画像を抽出し、管理することができる画像処理装置、画像処理方法、及び、画像処理システムを提供することを目的とする。